(57)【要約】【課題】特殊な構造の防水シートを用いることなく十分な防水特性を得ることができる防水ボード設置構造を提供する。【解決手段】防水ボード３の下面の全面に改質アスファルトシート４が付着されている。架台１の上面にゴムアスファルト両面テープ５を貼り付けた後、防水ボード３をその上に載置する。防水ボード３を通してビス６を架台１に打ち込む。ビス６によって防水ボード３に孔が貫通しても、改質アスファルトシート４及びゴムアスファルト両面テープ５によって防水ボード３とビス６との間の隙間が密実に埋まるようになり、十分な防水性が得られる。【選択図】図１
2006249827.tif 000002
【特許請求の範囲】
【請求項１】
下地材に防水ボードを重ね、該防水ボードを該下地材にビス又は釘により固定した防水ボード設置構造において、
該防水ボードの該下地材側の面に改質アスファルトシートが付着されており、
この改質アスファルトシート付きの該防水ボードと前記下地材とがゴム質の両面テープによって接着されていることを特徴とする防水ボード設置構造。
【請求項２】
請求項１において、該防水ボードの端部が、該防水ボードと直交する隣接ボードとの間で入隅部を構成しており、
該入隅部に、該防水ボードと該隣接ボードとに跨がってゴム質の両面テープが付着され、該両面テープに対しＬ形断面形状の役物部材が重ね合わされており
該役物部材、該両面テープ及び前記防水ボードを通して前記ビス又は釘が打ち込まれていることを特徴とする防水ボード設置構造。
【請求項３】
請求項１又は２において、前記両面テープがゴムアスファルト両面テープであることを特徴とする防水ボード設置構造。
【発明の詳細な説明】
【技術分野】
【０００１】
本発明は、防水ボードをビス又は釘によって下地材に固定した防水ボード設置構造に係り、特にビス又は釘打ち箇所からの漏水を防止した防水ボード設置構造に関する。
【背景技術】
【０００２】
部屋の床、壁、天井などを構築する場合に、防水ボードを根太などの下地材にビス又は釘打ちにより固定することは広く行われている。このようなビス又は釘打ちを行うと、ビス又は釘孔から漏水するおそれがある。
【０００３】
特開２００４−２４９６４６号公報には、ブチルゴム・ポリオレフィン樹脂系シート基材の一方の面に不織布を積層し、他方の面に断熱層を積層してなる防水・断熱シートが記載されている。同号公報によると、このブチルゴム・ポリオレフィン樹脂系シート基材は、釘着した場合に釘穴を締め付ける弾力性を有しているため、高い防水効果が得られる。
【特許文献１】特開２００４−２４９６４６号公報
【発明の開示】
【発明が解決しようとする課題】
【０００４】
本発明は、上記特開２００４−２４９６４６号のような特殊な構造の防水シートを用いることなく十分な防水特性を得ることができる防水ボード設置構造を提供することを目的とする。
【課題を解決するための手段】
【０００５】
請求項１の防水ボード設置構造は、下地材に防水ボードを重ね、該防水ボードを該下地材にビス又は釘により固定した防水ボード設置構造において、該防水ボードの該下地材側の面に改質アスファルトシートが付着されており、この改質アスファルトシート付きの該防水ボードと前記下地材とがゴム質の両面テープによって接着されていることを特徴とするものである。
【０００６】
請求項２の防水ボード設置構造は、請求項１において、該防水ボードの端部が、該防水ボードと直交する隣接ボードとの間で入隅部を構成しており、該入隅部に、該防水ボードと該隣接ボードとに跨がってゴム質の両面テープが付着され、該両面テープに対しＬ形断面形状の役物部材が重ね合わされており該役物部材、該両面テープ及び前記防水ボードを通して前記ビス又は釘が打ち込まれていることを特徴とするものである。
【０００７】
請求項３の防水ボード設置構造は、請求項１又は２において、前記両面テープがゴムアスファルト両面テープであることを特徴とするものである。
【発明の効果】
【０００８】
本発明の防水ボード設置構造にあっては、防水ボードと下地材との間に改質アスファルトシート及びゴム質両面テープが介在するため、ビス又は釘孔を通って水が浸入してきても、それ以上防水ボード裏側まで水が入り込むことが防止される。
【０００９】
また、改質アスファルトシート付き防水ボードと下地材とがビス又は釘で固定されているので、防水ボードと下地材とが離間して水みちが生じることがなく、長期にわたって優れた防水効果を得ることができる。
【００１０】
この防水ボードと、該防水ボードと直交する隣接ボード（例えば壁パネル）との入隅部については、両者に跨がってゴム質の両面テープを付着させ、その上からＬ形断面形状の役物部材を重ね、ビス又は釘打ちすることが好ましい。これにより、下地材に振動等の動きがあっても、ゴム質の両面テープに引き裂きが発生することが防止される。
【００１１】
上記両面テープとしてゴムアスファルト両面テープを用いると、防水効果が十分に高いものとなる。
【発明を実施するための最良の形態】
【００１２】
以下、図面を参照して実施の形態について説明する。図１は実施の形態に係る防水ボード設置構造を示す縦断面図、図２は図１の防水ボード設置構造における壁と床との入隅部を示す縦断面図、図３はコーナー部の斜視図である。
【００１３】
この実施の形態では、防水ボード設置構造の一例として防水床の構築例を示す。
【００１４】
図１の通り、ユニットバスルーム等の構築予定スペースのコンクリート床Ｆ上に下地材としての架台１が足ボルト２を介して設置されている。
【００１５】
この架台１は横桟と縦桟を直交状に組み付けた枠形のものである。
【００１６】
この架台１上に複数枚の防水ボード３が端面を突き合わせて配設されている。この防水ボード３はウレタンボード等の発泡合成樹脂ボード、セメント系ボード、合板などが好適である。この防水ボード３の一方の端面には、下縁側から張り出す相决り実部３ａが設けられ、他方の端面には上縁側から張り出す相决り実部３ｂが設けられている。これらの相决り実部３ａ，３ｂが係合されると共に、両者の重なり面にコーキングが施されている。この防水ボード３の下面の全面に改質アスファルトシート４が付着されている。
【００１７】
この防水ボード３を架台１上に設置するに際しては、該架台１の上面にゴムアスファルト両面テープ５を貼り付けた後、改質アスファルトシート４付きの防水ボード３をその上に載置する。この際、防水ボード３，３の相决り実部３ａ，３ｂが架台１の上に載るようにする。その後、防水ボード３を通してビス又は釘（この実施の形態ではビス）６を架台１に打ち込んで防水ボード１を固定する。図示は省略するが、その後、防水ボード３上に接着剤を塗り、その上にセメント板などよりなるタイル張り用下地板を敷設し、この下地板上に接着剤によってタイルを張り付け、目地を詰める。これにより、タイル張り防水床が構築される。
【００１８】
この防水ボード３の設置構造にあっては、ビス６が防水ボード３の下面の改質アスファルトシート４とゴムアスファルト両面テープ５を通って架台１にねじ込まれている。このため、ビス６によって防水ボード３に孔が貫通しても、改質アスファルトシート４及びゴムアスファルト両面テープ５によって防水ボード３とビス６との間の隙間が密実に埋まるようになり、十分な防水性が得られる。また、防水ボード３がビス６によって架台１に固定されるため、架台１に対し改質アスファルトシート４及びゴムアスファルト両面テープ５が防水ボード３によって強く押し付けられ、これらの間に水みちとなる隙間が生じない。そのため、長期にわたって安定した防水効果を得ることができる。
【００１９】
なお、この実施の形態では、防水ボード３同士を実結合しているため、防水ボード３同士の結合強度が高い。
【００２０】
上記のゴムアスファルト両面テープ５としては、ガラス繊維や有機繊維等の不織布にブチルゴム等の粘着性ゴム及び粘着性アスファルトを含浸させたものが好適である。両面テープ４の厚さは０．５〜２ｍｍ程度が好適である。
【００２１】
改質アスファルトシート４としては、ガラス繊維や有機繊維等の不織布に改質アスファルト組成物を含浸させた厚さ１〜５ｍｍ程度のものが用いられる。この改質アスファルト組成物としては、例えば重合体ラテックスに界面活性剤、加熱溶融したアスファルト及び反応性イソシアネート基を有するポリイソシアネート化合物を配合したものが用いられる。
【００２２】
この重合体ラテックスとしては、例えばポリブタジエンラテックス、スチレン−ブタジエン共重合体ラテックス、スチレン−メチルメタアクリレート−ブタジエン共重合体ラテックス、メチルメタアクリレート−ブタジエン共重合体ラテックス、アクリロニトリル−ブタジエン共重合体ラテックス、クロロプレンゴムラテックス、塩化ビニル系ラテックス、塩化ビニリデン系ラテックス、エチレン−酢酸ビニル共重合体ラテックス、アクリレート−酢酸ビニル共重合体ラテックス、アクリレート−スチレン共重合体ラテックス、アクリレート−エチレン共重合体ラテックス、シリコーン−アクリレート共重合体ラテックス、オレフィン系ラテックス、ポリウレタンラテックス等のゴムラテックスあるいは樹脂ラテックスを挙げることができ、また、これら重合体ラテックスは、カルボキシル基、アミド基、Ｎ−メチロール基、グリシジル基、水酸基、スルホン酸基等の官能基を少なくとも１種以上有することもできる。
【００２３】
上記の界面活性剤としては、脂肪酸塩、高級アルコール硫酸塩、アルキルベンゼンスルホン酸塩、ジフェニルエーテルジスルホン酸塩、ジアルキルジスルフォサクシネート、アルキルフォスフェート塩、ポリオキシエチレンサルフェート塩等のアニオン性界面活性剤；アルキルアミン塩、第４級アンモニウム塩、ポリオキシアルキルアミン等のカチオン性界面活性剤；ポリオキシエチレンアルキルエーテル、ポリオキシエチレンアルキルフェノールエーテル、ソルビタン脂肪酸エステル、ポリオキシエチレンソルビタン脂肪酸エステル、ポリオキシエチレンアミンエステル、ポリオキシエチレン−ポリオキシプロピレンブロックポリマー等のノニオン性界面活性剤等を挙げることができる。
【００２４】
上記のアスファルトとしては、特に限定されるものではなく、天然アスファルトでも石油アスファルトでもよい。このようなアスファルトとしては、例えばアスファルテン、パラフィン、ナフテン、芳香族レジン等を主成分とするスレートアスファルト、ブローンアスファルト、セミブローンアスファルト等を挙げることができる。
【００２５】
上記の反応性イソシアネート基を有するポリイソシアネート化合物としては、例えばフェニレンジイソシアネート、トリレンジイソシアネート、キシリレンジイソシアネート、テトラメチルキシリレンジイソシアネート、４，４’−ビフェニルジイソシアネート、３，３’−ジメチル−４，４’−ビフェニルジイソシアネート、４，４’−ジフェニルメタンジイソシアネート、３，３’−ジメチル−４，４’−ジフェニルメタンジイソシアネート、トリフェニルメタンジイソシアネート、ナフタレンジイソシアネート、イソホロンジイソシアネート、シクロヘキシレンジイソシアネート、水添トリレンジイソシアネート、水添キシリレンジイソシアネート、ジシクロヘキシルメタンジイソシアネート、ヘキサメチレンジイソシアネート等のジイソシアネート化合物；ビフェニルトリイソシアネート、ジフェニルメタントリイソシアネート、トリフェニルメタントリイソシアネート、ナフタレントリイソシアネート等のトリイソシアネート化合物；これらの重合物等を挙げることができる。
【００２６】
この改質アスファルト組成物には、必要に応じて、セメント、石油樹脂、ロジン樹脂等の粘着付与剤；重油、ピッチ、タール等の他の瀝青物質；炭酸カルシウム、水酸化アルミニウム、水酸化マグネシウム、タルク、クレー、マイカ、ゴム粉、シラスバルーン等の充填剤；炭素繊維、ガラス繊維、有機繊維等の補強材；硅砂、砕石、砂利等の骨材；酸化チタン、カーボンブラック等の顔料；スチレン化フェノール、ジフェニルアミン、２，６−ジターシャリーブチル−４−メチルフェノール等の老化防止剤；ヒンダードアミン、ベンゾフェノン、ベンゾトリアゾール等の紫外線吸収剤；ジオクチルフタレート、ジブチルフタレート、ポリエチレングリコール、ブチルセロソルブ、カルビトールアセテート等の可塑剤；トルエン、キシレン、酢酸エチル等の希釈剤；ジメチルポリシロキサン乳化物等の消泡剤；メチルトリメトキシシラン、ビニルトリメトキシシラン、γ−グリシドキシプロピルトリメトキシシラン、γ−メタクリルオキシプロピルトリメトキシシラン等のアルコキシシラン化合物；酸化亜鉛、酢酸カルシウム、酢酸ジルコニウム、アジリジン、メラミン樹脂等の架橋剤；ベンゾイソチアゾリン、メチルイソアゾリン、過酸化水素等の防腐剤；三酸化アンチモン等の難燃剤；水酸化ナトリウム、ゼオライト、硅そう土等の発泡防止剤、増粘剤、保護コロイド等を後添加し、性状を最適化することもできる。
【００２７】
ただし、改質アスファルト組成物は上記のものに限定されない。
【００２８】
図２を参照して、床と壁とが交叉する入隅部の構成について説明する。
【００２９】
この入隅部にあっては、防水ボード３に対し、該防水ボードと同種の防水ボードを現場寸法に合わせて切断した切断体３Ａが図１の実施の形態と同様に実結合により防水ボードに組み合わされ、架台１に対しビス６で留め付けられている。この切断体３Ａが当接する壁パネル２０は、図示しない縦胴縁に取り付けられている。この壁パネル２０と床との交叉隅部において、両者にまたがってゴムアスファルト両面テープ７が貼着されている。このゴムアスファルト両面テープ７は前記ゴムアスファルト両面テープ５と同種のものである。
【００３０】
このゴムアスファルト両面テープ７のうち、壁パネル２０に沿う立面部分に改質アスファルトシート８が貼着されている。この改質アスファルトシート８はゴムアスファルト両面テープ７よりも上方の壁パネル２０にまで延在している。この改質アスファルトシート８は前記改質アスファルトシート４と同種のものである。この改質アスファルトシート８と床側のゴムアスファルト両面テープ７に重なるようにＬ形断面形状の役物部材９が重ね合わされている。この役物部材９を通してビス６が架台１に打ち込まれ、役物部材９及び切断体３Ａが固定されている。なお、実結合を介して防水ボード３も架台１に固定される。ビス６の代りに釘を打ってもよい。
【００３１】
この役物部材９を覆うように透明なポリエステルシート１０が透明な両面テープや粘着剤を介して貼着される。このポリエステルシート１０は、改質アスファルトシート８の上方の壁パネル２０にまで延在している。また、ゴムアスファルト両面テープ７よりも部屋の中央側の防水ボード３にまで延在している。
【００３２】
この図２の実施の形態では、役物部材９を用いてゴムアスファルト両面テープ７及び改質アスファルトシート８を押えており、構造が安定している。例えば、架台１に振動等の動きがあっても、ゴムアスファルト両面テープ７に切れ（引き裂き）が生じることが防止される。
【００３３】
図２では防水ボード３に対し平壁状の壁パネル２０が直交しているため、役物部材９はＬ形レール状のものとなっている。
【００３４】
図３は、壁パネル２０，２０が直交する部屋のコーナー部における壁パネル２０，２０と床の防水ボード３との交叉隅部（入隅部）の納まりを示す斜視図である。図３の通り、この入隅部では直交する３面９ａ，９ｂ，９ｃを有した役物部材９Ａを床と２面の壁面に当てるように配置し、ビス又は釘留めする。その後、ポリエステルシート１０（図３では図示略）を貼着する。図３のその他の構成は図２と同一であり、同一符号は同一部分を示している。
【００３５】
この図３のコーナー部も防水性が極めて良好であると共に、構造上の安定性にも優れる。
【００３６】
なお、壁パネル以外のボードが防水ボード３と直交する場合にも、それら同士の入隅部にも図２や図３の構造を適用することができる。
【図面の簡単な説明】
【００３７】
【図１】実施の形態に係る防水ボード設置構造を示す縦断面図である。
【図２】図１の防水ボード設置構造の入隅部を示す縦断面図である。
【図３】部屋コーナー部の納まりを示す斜視図である。
【符号の説明】
【００３８】
１  架台
２  足ボルト
３  防水ボード
４，８  改質アスファルトシート
５，７  ゴムアスファルト両面テープ
６  ビス
９，９Ａ  役物部材
１０  ポリエステルシート
２０  壁パネル
【図１】
2006249827.tif 000003
【図２】
2006249827.tif 000004
【図３】
2006249827.tif 000005